(57)【特許請求の範囲】
【請求項１】
集塵フィルタを収納する集塵室と、この集塵室を負圧にする電動送風機を設ける電動送風機室と、前記集塵室と前記電動送風機室とを連通させる風路とを電気掃除機本体ケース内に形成し、サブフィルタを保持するための格子部材を有するとともに前記集塵室と前記風路とを区画する支持壁と、前記風路と前記電動送風気室とを区画する隔壁とを設けた電気掃除機において、
前記格子部材を支持壁とは別部材で構成し、
前記格子部材は、隔壁に向かって延設するとともにこの隔壁に当接する当接部材を有することを特徴とする電気掃除機。
【発明の詳細な説明】
【０００１】
【発明の属する技術分野】
この発明は、集塵室と電動送風機室とを電気掃除機本体ケース内に形成し、電動送風気室と集塵室との間に隔壁を設けた電気掃除機に関する。
【０００２】
【従来の技術】
従来から、図１３に示す電気掃除機が知られている。図１３において、１は電気掃除機本体２の本体ケースであり、この本体ケース１は、下ケース３と上ケース４と蓋ケース５とから構成されている。本体ケース１内には、集塵フィルタ(図示せず)を収納した集塵室６と電動送風機７を設けた電動送風機室８とが形成されている。集塵室６と電動送風機室８との間には、サブフィルタＦを支える格子部９を有する支持壁１０と、この支持壁１０の後方（図１３において右側）に集塵室６を負圧に保つための隔壁１１とが設けられている。
【０００３】
隔壁１１は、図１４に示すように、下ケース３に形成された下隔壁部１６と上ケース４に形成された上隔壁部１７とで構成され、下隔壁部１６にシール部材Ｓ1,Ｓ2が取り付けらており、下隔壁部１６と上隔壁部１７との間はシール部材Ｓ1,Ｓ2によってシールされている。そして、下隔壁１６の下部が下ケース３に固定され、上隔壁１７の上部が上ケース４に固定され、下隔壁１６の上部と上隔壁１７の下部とがフリーの状態となっている。
【０００４】
電動送風機７は遠心ファン(図示せず)とこの遠心ファンを回転させる電動モータ(図示せず)とから構成されており、遠心ファンはファンケース７Ａ内に収納されている。収納ケース７Ａの左側壁７bには空気を吸引するための開口(図示せず)が形成され、この開口が隔壁１１に設けた開口１１Ａに臨んでいる。収納ケース７Ａと隔壁１１との間にはゴム性のシール部材１２が取り付けられており、このシール部材１２によって集塵室６と電動送風機室８とが気密状態に区画されている。電動送風機室８は上ケース４の後部に設けた排気口４Ａを介して外気と連通している。
【０００５】
そして、電動モータによって遠心ファンが回転されると、集塵室６内の空気が隔壁１１の開口１１Ａおよびファンケース７Ａの開口を介してファンケース７Ａ内へ吸気されていき、この吸気された空気が電動モータ内および電動送風機室８を通って上ケース４の排気口４Ａから排気されていく。
【０００６】
集塵室６は、シール部材１２によって電動送風機室８から気密状態に区画されているので、遠心ファンによる吸気によって集塵室６内が負圧となる。この負圧により、集塵室６に図示しないホースを介して連通した吸込口体(図示せず)から塵埃が吸引されていく。この吸込口体から吸引された塵埃はホースを介して集塵フィルタに集塵される。
【０００７】
【発明が解決しようとする課題】
しかしながら、このような電気掃除機にあっては、集塵室６が負圧となることにより電動送風機７が集塵室６側へ吸引される状態となって、電動送風機７がシール部材１２を介して隔壁１１を集塵室６側へ押圧する。この押圧によって、下隔壁１６の上部と上隔壁１７の下部がフリーの状態となっていることにより、図１５に示すように、下隔壁１６および上隔壁１７が変形して上壁部１７とシール部材Ｓ1,Ｓ2との間に隙間が生じ、集塵室６の真空度が低下してしまうという問題があった。
【０００８】
この発明は、上記問題点に鑑みてなされたものであり、その目的は、隔壁の変形の防止を図ることのできる電気掃除機を提供することにある。
【０００９】
【課題を解決するための手段】
請求項１の発明によれば、集塵フィルタを収納する集塵室と、この集塵室を負圧にする電動送風機を設ける電動送風機室と、前記集塵室と前記電動送風機室とを連通させる風路とを電気掃除機本体ケース内に形成し、サブフィルタを保持するための格子部材を有するとともに前記集塵室と前記風路とを区画する支持壁と、前記風路と前記電動送風気室とを区画する隔壁とを設けた電気掃除機において、
前記格子部材を支持壁とは別部材で構成し、
前記格子部材は、隔壁に向かって延設するとともにこの隔壁に当接する当接部材を有することを特徴とする。
【００１１】
【実施の形態】
以下、この発明に係る電気掃除機の実施の形態を図面に基づいて説明する。
【００１２】
図１および図２において、２０は電気掃除機本体２１の本体ケースであり、この本体ケース２０内には、集塵フィルタ(図示せず)を収納した集塵室２２と、この集塵室２２と連通した風路２３と、電動送風機２４を設けた電動送風機室２５と、コードリール(図示せず)を設けたコードリール室２９とが形成されている。電動送風機室２５は電動送風機２４の内部を介して風路２３と連通している。本体ケース２０は、下ケース２６と上ケース２７と蓋ケース２８とから構成され、蓋ケース２８は集塵室２２の上部を覆っており、蓋ケース２８に形成した垂下壁２８Ａと下ケース２６に形成した区画壁（支持壁）５０とで集塵室２２を区画形成している。
【００１３】
風路２３は区画壁５０によって集塵室２２から区画され、風路２３と電動送風機室２５とは隔壁４０によって区画されている。また、上ケース２７には区画壁３１が形成され、この区画壁３１によって回路基板３２を設けた制御室３３が形成され、電動送風機室２５と制御室３３とが区画壁３１によって区画されている。
【００１４】
上ケース２７の後部壁３４には排気口３５が形成され、この排気口３５を介して電動送風機室２５と外気とが連通されている。排気口３５の前面（図１において左側）には排気フィルタ３６が取り付けられている。
【００１５】
隔壁４０は、図３に示すように、下ケース２６に形成された下隔壁部４１と、上ケース２７に形成された上隔壁部４２とから構成され、下隔壁部４１にはＵ字状の切欠４１Ａが形成されている。上隔壁部４２には湾曲した切欠４２Ａが形成され、切欠４１Ａと切欠４２Ａとで隔壁４０の開口４３を形成している。下隔壁部４１の上端部にはシール部材４４,４５が取り付けられており、このシール部材４４,４５に下隔壁部４１の下端部が当接していて、下隔壁部４１と上隔壁部４２との間がシールされている。
【００１６】
電動送風機２４は、図示しない遠心ファンとこの遠心ファンを回転させる電動モータとから構成され、電動送風機２４の後部２４Ａが下ケース２６に形成された支持壁Ｊ1と上ケース２７に形成された支持壁Ｊ2とによって保持されている。また、電動送風機２４の遠心ファンケース部２４Ｂがシール部材４７によって保持されている。
【００１７】
また、シール部材４７は、隔壁４０と遠心ファンケース部２４Ｂとの間に介在しており、このシール部材４７によって風路２３と電動送風機室２５とが気密状態に区画されている。
【００１８】
区画壁５０には、サブフィルタ５１（図１参照）を保持した格子部材７０が着脱可能に取り付けられる略四角形状の切欠５２（図５参照）が形成されている。
【００１９】
区画壁５０は、図４および図５に示すように、第１,第２区画壁部５３,５４と、この第１,第２区画壁部５３,５４の下部に連続形成された連結壁部５５とから構成されている。第１,第２区画壁部５３,５４の前面５３a,５４aには上下方向に延びた複数の補強リブ５６〜６１が形成され、補強リブ５６〜６１の上端部には突起５６a〜６１a（図６参照）が形成されている。
【００２０】
第１区画壁部５３の裏面５３bには、上下方向に延びた補強リブ６２,６３と、図６に示すように上下方向に延びるとともに下隔壁部４１の側端部に連設された連設壁６４とが形成されている。また、連結壁部５５の後方には、連結壁部５５と平行なリブ６６が形成され、後述する格子部材７０の下端部が、連結壁部５５とリブ６６との間に嵌入されるようになっている。
【００２１】
格子部材７０は、図７および図８に示すように、４角形状の枠体７１と、この枠体７１内に格子を形成した格子部７２とを有しており、枠体７１内にはサブフィルタ５１が配置される。このサブフィルタ５１は枠体７１および格子部７２とで保持される。
【００２２】
枠体７１は、両側の枠部材７１Ａ,７１Ｂと、下部の枠部材７１Ｃと、上部の枠部材７１Ｄとから構成され、枠部材７１Ａ,７１Ｂの外側面には上下方向に延びたリブ７３,７４が形成されている。枠部材７１Ａ,７１Ｂの外側面７１a,７１bが第１,第２区画壁部５３,５４の側端面５３Ｓ,５４Ｓに当接するとともに、リブ７３,７４の前面７３a,７４aが第１,第２区画壁部５３,５４の裏面５３Ｒ,５４Ｒに当接するようになっている。また、リブ７３の側面７３bは連設壁６４の側面６４aに当接するようになっている。
【００２３】
枠部材７１Ａ,７１Ｂの下部には、下方に行くほど枠部材７１Ａ,７１Ｂ間の幅が狭くなるようにテーパ７１t,７１tが形成されており、同様にリブ７３,７４の下部にもテーパ７３t,７４tが形成されている。枠部材７１Ａの後端面には、後方に延びるとともに上下方向に延びた補強リブ（当接部材）７５と後方に延びた補強リブ（当接部材）７６とが形成され、補強リブ７５の下部には傾斜した案内面７５aが形成されている。また、枠部材７１Ｂの後端面には後方に延びるとともに上下方向に延びた補強リブ（当接部材）７７が形成され、補強リブ７７の下部には上記と同様に傾斜した案内面７７aが形成されている。
【００２４】
補強リブ７５〜７７は、格子部材７０を区画壁５０に取り付けた際に、図３の破線で示すように隔壁４０の下隔壁部４１と上隔壁部４２に当接して、隔壁４０が集塵室側へ変形するのを防止するものである。
【００２５】
枠部材７１Ｄの前面には左右に延びたアーム部材８０が連続形成され、アーム部材８０は、枠部材７１の右端（図７において）から右方向に延びて第１区画壁部５３の上部の前面に当接する第１アーム部８１と、枠部材７１の左端（図７において）から左方向に延びて第２区画壁部５４の上部の前面に当接する第２アーム部８２とを有している。第１,第２アーム部８１,８２には補強リブ５６〜６１の突起５６a〜６１aに係合する凹部８１a〜d,８２a,bが設けられている。
【００２６】
また、第１アーム部８１には、下方に延びるとともに第１区画壁部５３の前面５３aに当接する当接板部８４が形成され、この当接板部８４の左側（図７において）の下部には傾斜した案内部８４Ａが形成され、この案内部８４Ａの上端から上方に延びるとともに補強リブ５６の側面５６Ａに当接する当接部８５が形成されている。同様に、第２アーム部８２にも第２区画壁部５４の前面５４aに当接する当接板部８６が形成され、この当接板部８６の右側（図７において）の下部には傾斜した案内部８６Ａが形成され、この案内部８６Ａの上端から上方に延びるとともに補強リブ６０の側面６０Ａに当接する当接部８７が形成されている。
【００２７】
格子部材７０を区画壁５０に取り付けるには、図５および図６に示すように、第１区画壁部５３と第２区画壁部５４との間に矢印で示すように差し込んでいく。このとき、図１１に示すように、格子部材７０のリブ７３,７４の前面７３a,７４aを第１,第２区画壁部５３,５４の裏面５３Ｒ,５４Ｒに当接させ、リブ７３の側面７３bを連設壁６４の側面６４aに当接させるとともに、枠部材７１Ａ,７１Ｂの外側面７１a,７１bを第１,第２区画壁部５３,５４の側端面５３Ｓ,５４Ｓに当接させて差し込む。
【００２８】
ここで、下ケース２６などはＰＰ樹脂からなり射出成形により成形するが、この成形後の型抜きの際に下ケースが変形して第１,第２区画壁部５３,５４間の幅が狭まったり、広がったりする場合がある。
【００２９】
その幅が狭まった場合、枠部材７１Ａ,７１Ｂの下部にテーパ７１t,７１tが形成されているので、枠部材７１Ａ,７１Ｂの下部を第１,第２区画壁部５３,５４間に差し込むことができる。そして、格子部材７０を押し込むことにより、第１,第２区画壁部５３,５４間を強制的に押し広げて格子部材７０を切欠５１に取り付けることができる。
【００３０】
ところで、格子部材７０はＡＢＳ樹脂で構成することにより、射出成形後の型抜きの際に変形してしまうことがない。このため、格子部材７０の寸法精度を確保することができ、このため、格子部材７０を第１,第２区画壁部５３,５４間に押し込むことにより、第１,第２区画壁部５３,５４間の幅を所定寸法に矯正して下ケース２６の変形を矯正することができる。
【００３１】
また、図９および図１０に示すように、格子部材７０が区画壁５０に取り付けられると、図１２に示すように、格子部材７０の第１,第２アーム部８１,８２の凹部８１a〜d,８２a,bが補強リブ５６〜６１の突起５６a〜６１aに係合する。他方、当接板部８４,８６が図１１に示すように第１,第２区画壁部５３,５４の前面に当接するとともに、当接板部８４,８６の当接部８５,８７が補強リブ５６,６０の側面５６Ａ,６０Ａに当接するが、当接板部８４,８６の下部に案内面８４Ａ,８６Ａが形成されているので、下ケース２６の変形により第１,第２区画壁部５３,５４間が広がっている場合でも、補強リブ５６,６０が案内面８４Ａ,８６Ａによって案内されて補強リブ５６,６０の側面５６Ａ,６０Ａが当接部８５,８７に当接される。
【００３２】
すなわち、下ケース２６の変形により第１,第２区画壁部５３,５４間が広がっている場合には、強制的に第１,第２区画壁部５３,５４間を狭めることにより下ケース２６の変形を矯正しながら格子部材７０が区画壁５０に取り付けられる。
【００３３】
また、図９および図１０に示すように、格子部材７０が区画壁５０に取り付けられると、第１アーム部８１が第１区画壁部５３の上部の前面５３aに当接し、第２アーム部８２が第２区画壁部５４の上部の前面５４aに当接する。そして、第１,第２アーム部８１,８２の凹部８１a〜d,８２a,bが補強リブ５６〜６１の突起５６a〜６１aに係合する（図１２参照）。
【００３４】
さらに、図３および図１１に示すように、枠部材７１Ａ,７１Ｂの補強リブ７５〜７６が隔壁４０の下隔壁部４１と上隔壁部４２に当接する。ところで、補強リブ７５〜７７は区画壁５０と隔壁４０との間へ挿入するが、補強リブ７５〜７７の下部には傾斜した案内面７５a〜７７aが形成されているので、その挿入は大変行い易いものとなる。
【００３５】
また、格子部材７０の下端部である枠部材７１Ｃが、連結壁部５５とリブ６６との間に嵌入されて格子部材７０の下端部が保持されるが、この嵌入の際、補強リブ７５〜７７が区画壁５０と隔壁４０との間へ挿入されて下隔壁部４１と上隔壁部４２に当接するので、補強リブ７５〜７７が格子部材７０の下端部を連結壁部５５とリブ６６との間に嵌入させるためのガイドの役割を果たことになり、その嵌入が行い易いものとなる。
【００３６】
格子部材７０の取り付けが終了したら、シール部材９０を区画壁５０の上部に取り付け、蓋ケース２８および上ケース２７を取り付けて本体ケース２０を組み付ける。
【００３７】
そして、ホース接続口９１に図示しないホースを接続するとともに、このホースに図示しない延長管を介して吸込口体(図示せず)を接続し、電動送風機２４を作動させる。電動送風機２４の作動により、集塵室２２が負圧となって吸込口体から塵埃が吸引され、集塵フィルタ(図示せず)に塵埃が集塵されていく。
【００３８】
集塵室２２の負圧により、電動送風機２４がシール部材４７を介して隔壁４０を集塵室２２側へ押圧する状態となっても、枠部材７１Ａ,７１Ｂの補強リブ７５〜７７が隔壁４０の下隔壁部４１と上隔壁部４２に当接しているので、隔壁４０の変形は防止される。このため、下隔壁部４１と上隔壁部４２との間のシール性が保たれ、集塵室２２の気密性が保たれる。この結果、塵埃の吸引効率が低下してしまうことが防止される。
【００３９】
上記実施形態では、補強リブ７５〜７７を格子部材７０に設けているが、直接隔壁４０に設けてもよく、また、区画壁５０の連結壁部５５と隔壁４０の下隔壁部４１とを連結する連結リブを形成して、隔壁４０の変形を防止してもよい。
【００４０】
以上説明してきたように、請求項１の発明によれば、集塵室が負圧となっても隔壁の変形の防止を図ることができ、集塵室の気密性を保つことができる。
【図面の簡単な説明】
【図１】この発明に係る電気掃除機本体の構成を示した断面図である。
【図２】図１の電気掃除機本体の上ケースおよび蓋ケースを取り外した状態を示した平面図である。
【図３】図１の電気掃除機本体の隔壁の構造を示した説明図である。
【図４】区画壁に格子部材を取り付ける前の状態を示した平面図である。
【図５】区画壁に格子部材の取付方を示した正面図である。
【図６】区画壁に格子部材の取付方を示した断面図である。
【図７】（Ａ）格子部材を示した背面図である。
（Ｂ）格子部材を示した側面図である。
（Ｃ）格子部材を示した平面図である。
【図８】格子部材を示した正面図である。
【図９】区画壁に格子部材とシール部材とを取り付けた状態を示した断面図である。
【図１０】区画壁に格子部材を取り付けた状態を示した正面図である。
【図１１】区画壁のリブと格子部材のリブとの係合関係を示した断面図である。
【図１２】格子部材のアーム部の取付状態を示した説明図である。
【図１３】従来の電気掃除本体の構成を示した説明図である。
【図１４】従来の隔壁の構成を示した説明図である。
【図１５】従来の問題点を説明した説明図である。
【符号の説明】
２０          本体ケース
２２          集塵室
２４          電動送風機
２５          電動送風機室
４０          隔壁
７５          補強リブ
７６          補強リブ
【図１】
0003660091.tif 000002
【図２】
0003660091.tif 000003
【図３】
0003660091.tif 000004
【図４】
0003660091.tif 000005
【図５】
0003660091.tif 000006
【図６】
0003660091.tif 000007
【図７】
0003660091.tif 000008
【図８】
0003660091.tif 000009
【図９】
0003660091.tif 000010
【図１０】
0003660091.tif 000011
【図１１】
0003660091.tif 000012
【図１２】
0003660091.tif 000013
【図１３】
0003660091.tif 000014
【図１４】
0003660091.tif 000015
【図１５】
0003660091.tif 000016